(57)【要約】　　　（修正有）【課題】高速道路等に使用される金属製防音パネルであって、全ての周波数帯域における高い遮音性能を有し、さらに軽量化にも対応した金属製防音パネルを提供する。【解決手段】金属パネル１の背面内側にダンピング材２を接着したものと、金属ルーバー正面パネル３との間に吸音材４を装着し、底面及び金属ルーバー正面パネルの両端にシール材６を装着することで低い周波数帯域の騒音に対する防音効果を得る。【選択図】図６
0003099478.tif 000002
【実用新案登録請求の範囲】
【請求項１】
防音パネルの遮音層の金属に、ダンピング材（制振材）を付加すると共に防音パネル上下間の音漏れ防止の為シール材を施工する事により低周波音域の遮音性能を向上させることを特徴とする防音パネル。
【考案の詳細な説明】
【０００１】
【考案の属する技術分野】
本考案は、低周波音域に防音効果を発揮する金属防音パネルに関するものである。
【０００２】
【従来の技術】
旧来の防音パネルは主として、高速道路用に開発されたものであり、空調室外機音、ボイラー音等の低周波音域の騒音防止には余り効果がなかった。（表１参照）
【０００３】
【表１】
0003099478.tif 000003
【０００４】
【表２】
0003099478.tif 000004
【０００５】
【表３】
0003099478.tif 000005
【０００６】
【表４】
0003099478.tif 000006
【０００７】
しかし、近年ビル、事務所、工場等に設置される空調室外機、ボイラー、ブロワ−等より発生する低周波音に対しては、遮音効果は低く満足出来る防音パネルが無かった。
【０００８】
【考案が解決しようとする課題】
５００Ｈｚ以下の低周波帯域に大きな防音効果
（音響透過損失値）が期待できる比較的▲１▼軽量、▲２▼安価、▲３▼施工簡単な防音パネルの開発。
【０００９】
【課題を解決するための手段】
本考案の防音パネルは遮音層の金属の内面にダンピング材（制振材）を密着させると共に防音パネル上下のジョイント部にシール材を施工することが主要な特徴である。
【００１０】
【考案の実施の形態】
経済性、軽量化を考慮し、従来の防音パネルの外姿を変えずに低周波音域の防音性能を高めたものである。
【００１１】
【実施例】
図１は低周波用防音パネル「音ぴたくん」の詳細説明図である。
【００１２】
【考案の効果】
以上説明した如く本考案の防音パネル「音ぴたくん」は軽量化（２８ｋｇ／平方メートル）に成功すると共に低周波音域に大きな防音効果（透過損失値）が得られるものである。
防音効果（準音響透過損失実験値）は下表の通り。
【００１３】
【表５】
0003099478.tif 000007
【００１４】
【図面の簡単な説明】
【図１】防音パネル「音ぴたくん」の断面図と平面図である。
【図１】
0003099478.tif 000008
【手続補正書】
【提出日】平成15年5月13日(2003.5.13)
【手続補正３】
【補正対象書類名】明細書
【補正対象項目名】実用新案登録請求の範囲
【補正方法】変更
【補正の内容】
【実用新案登録請求の範囲】
【請求項１】
低周波用防音パネル「音ぴたくん」は、アルミ製ルーバー　ｔ＝１．０ｍｍの内側に吸音材保護フィルムに包まれたグラスウール製吸音材を装着し、シート状ダンピング材を装着した背面板亜鉛鉄板　ｔ＝１．６ｍｍら構成されている。
背面板亜鉛鉄板　ｔ＝１．６ｍｍの内側全体に、合成高分子製のシート状ダンピング材を接着することによって、低周波音域の空気振動を低減させ、低周波音域の遮音性能を向上させることを特徴とする防音パネル。
【手続補正書】
【提出日】平成15年9月19日(2003.9.19)
【手続補正１】
【補正対象書類名】明細書
【補正対象項目名】実用新案登録請求の範囲
【補正方法】変更
【補正の内容】
【実用新案登録請求の範囲】
【請求項１】
上面、背面、底面とが一体となった金属パネル１の背面内側に、ダン　　　ピング材２を接着したものと、金属ルーバー正面パネル３との間に吸　　　音材４を装着し、左右の金属側面パネル５で一体化、箱状にし、底面　　　に、シール材６を装着し、金属ルーバー正面パネルの両端にシール材　　　６を装着した低い周波数帯域用防音パネル。
【手続補正２】
【補正対象書類名】明細書
【補正対象項目名】０００１
【補正方法】変更
【補正の内容】
【０００１】
【考案の属する技術分野】
本考案は、低い周波数帯域に高い防音効果を発揮する金属防音パネル　　　に関するものである。


【手続補正３】
【補正対象書類名】明細書
【補正対象項目名】０００２
【補正方法】変更
【補正の内容】
【０００２】
【従来の技術】
従来の防音パネルは主として、高速道路用に開発されたものであり、　　　空調室外機音、ボイラー音等の低い周波数帯域に卓越した騒音レベル　　　示す騒音に対して、余り防音効果がなかった。（表１参照）


【手続補正４】
【補正対象書類名】明細書
【補正対象項目名】０００７
【補正方法】変更
【補正の内容】
【０００７】
尚、近年ビル、事務所、工場等に設置される空調室外機、ボイラー、　　　ブロワー等より発生する低い周波数帯域に対して、遮音効果の高い　　　満足出来る防音パネルが無かった。


【手続補正５】
【補正対象書類名】明細書
【補正対象項目名】０００８
【補正方法】変更
【補正の内容】
【０００８】
【考案が解決しようとする課題】
解決しようとする問題点は、５００Ｈｚ以下の低い周波数帯域に　　　大きな防音効果（音響透過損失値）がない点である。


【手続補正６】
【補正対象書類名】明細書
【補正対象項目名】０００９
【補正方法】変更
【補正の内容】
【０００９】
【課題を解決するための手段】
本考案の防音パネルは、遮音層である金属パネルの背面内側に　　　ダンピング材（制振材）を密着されると共に、防音パネル上下　　　のジョイント部である底面外側にシール材を装着施工すること　　　が、主要な特徴である。


【手続補正７】
【補正対象書類名】明細書
【補正対象項目名】００１０
【補正方法】変更
【補正の内容】
【００１０】
【考案の実施の形態】
経済性、軽量化を考慮し、従来の防音パネルの外姿を変えずに　　　低い周波数帯域の防音性能を高めたものを実現した。


【手続補正８】
【補正対象書類名】明細書
【補正対象項目名】００１４
【補正方法】削除
【補正の内容】
【手続補正９】
【補正対象書類名】明細書
【補正対象項目名】図面の簡単な説明
【補正方法】追加
【補正の内容】
【図面の簡単な説明】
【図１】本考案の上面図
【図２】本考案の正面図
【図３】本考案の底面図
【図４】本考案の背面図
【図５】本考案の側面図
【図６】本考案の断面図
【符号の説明】
１　金属パネル
２　ダンピング材
３　金属ルーバー正面パネル
４　吸音材
５　金属側面パネル
６　シール材


【手続補正１０】
【補正対象書類名】図面
【補正対象項目名】図１
【補正方法】変更
【補正の内容】
【図１】
0003099478.tif 000009
【手続補正１１】
【補正対象書類名】図面
【補正対象項目名】図２
【補正方法】追加
【補正の内容】
【図２】
0003099478.tif 000010
【手続補正１２】
【補正対象書類名】図面
【補正対象項目名】図３
【補正方法】追加
【補正の内容】
【図３】
0003099478.tif 000011
【手続補正１３】
【補正対象書類名】図面
【補正対象項目名】図４
【補正方法】追加
【補正の内容】
【図４】
0003099478.tif 000012
【手続補正１４】
【補正対象書類名】図面
【補正対象項目名】図５
【補正方法】追加
【補正の内容】
【図５】
0003099478.tif 000013
【手続補正１５】
【補正対象書類名】図面
【補正対象項目名】図６
【補正方法】追加
【補正の内容】
【図６】
0003099478.tif 000014